(57)【要約】【課題】直流電流を除去するためのコンデンサを必要とせず、性能や音質を向上させた粒子伝導型のスピーカを提供する。【解決手段】粒子伝導型のスピーカ１において、磁気回路内に設けられ、入力される駆動電流に基づいて振動するボイスコイル２と、ボイスコイル２に固定される振動板５と、振動板５にストレスを負荷せず、当該振動板５を支持する支持部６と、を備え、駆動電流のうちの直流成分によって振動板５にストレスを負荷した状態で、駆動電流のうちの交流成分に基づくボイスコイル２の振動が振動板５に伝達されることによって音声が出力されるよう構成した。【選択図】図１
2006333027.tif 000002
【特許請求の範囲】
【請求項１】
磁気回路内に設けられ、入力される駆動電流に基づいて振動するボイスコイルと、
前記ボイスコイルに固定される曲面部を備えた振動板と、
前記振動板にストレスを負荷せず、当該振動板を支持する支持部と、を備え、
前記駆動電流のうちの直流成分を前記ボイスコイルに入力することによって前記振動板の前記曲面部の形状が平面となるよう当該振動板にストレスを負荷した状態で、前記駆動電流のうちの交流成分に基づく前記ボイスコイルの振動が前記振動板に伝達されることによって音声が出力されることを特徴とする粒子伝導型のスピーカ。
【請求項２】
磁気回路内に設けられ、入力される駆動電流に基づいて振動するボイスコイルと、
前記ボイスコイルに固定される振動板と、
前記振動板にストレスを負荷せず、当該振動板を支持する支持部と、を備え、
前記駆動電流のうちの直流成分によって前記振動板にストレスを負荷した状態で、前記駆動電流のうちの交流成分に基づく前記ボイスコイルの振動が前記振動板に伝達されることによって音声が出力されることを特徴とする粒子伝導型のスピーカ。
【請求項３】
請求項２に記載の粒子伝導型のスピーカにおいて、
前記振動板は、前記ボイスコイルに固定される部分に曲面部を備え、
前記駆動電流のうちの直流成分を前記ボイスコイルに入力することによって前記振動板の前記曲面部の形状が平面に近づくことを特徴とする粒子伝導型のスピーカ。
【請求項４】
請求項３に記載の粒子伝導型のスピーカにおいて、
前記振動板は、複数の前記曲面部を有するとともに、各曲面部に対応して前記ボイスコイル及び前記磁気回路を備えることを特徴とする粒子伝導型のスピーカ。
【発明の詳細な説明】
【技術分野】
【０００１】
本発明は、粒子伝導型のスピーカに関する。
【背景技術】
【０００２】
従来、ボイスコイルが往復運動することによって生成された振動を、空気に伝達させることによって音声を出力するスピーカ（例えば、特許文献１，２参照）や、振動板に伝達させることによって音声を出力する粒子伝導型のスピーカ（例えば、特許文献３，４参照）が知られている。
【特許文献１】特開平４−２８０２００号公報
【特許文献２】実公昭６０−３６９６０号公報
【特許文献３】特開２００４−１２０５１７号公報
【特許文献４】特開２０００−３５０２８５号公報
【発明の開示】
【発明が解決しようとする課題】
【０００３】
ところで、粒子伝導型のスピーカにおいては、ボイスコイルを振動させるために、交流電流のみを入力している。具体的には、ボイスコイルの耐性上の理由から、交流電流のみを入力する必要があり、従来からの粒子伝導型のスピーカにおいては、音声信号（駆動電流）を発生させる回路中に、直流電流を除去するためのコンデンサが組み込まれている。したがって、コンデンサの分、当該回路の構成が複雑になるという問題がある。また、当該回路中にコンデンサがあることによって、性能や音質が低下するという問題がある。
【０００４】
本発明の課題は、直流電流を除去するためのコンデンサを必要とせず、性能や音質を向上させた粒子伝導型のスピーカを提供することにある。
【課題を解決するための手段】
【０００５】
上記課題を解決するために、請求項１に記載の発明は、磁気回路内に設けられ、入力される駆動電流に基づいて振動するボイスコイルと、前記ボイスコイルに固定される曲面部を備えた振動板と、前記振動板にストレスを負荷せず、当該振動板を支持する支持部と、を備え、前記駆動電流のうちの直流成分を前記ボイスコイルに入力することによって前記振動板の前記曲面部の形状が平面となるよう当該振動板にストレスを負荷した状態で、前記駆動電流のうちの交流成分に基づく前記ボイスコイルの振動が前記振動板に伝達されることによって音声が出力されることを特徴とする。
【０００６】
請求項２に記載の発明は、磁気回路内に設けられ、入力される駆動電流に基づいて振動するボイスコイルと、前記ボイスコイルに固定される振動板と、前記振動板にストレスを負荷せず、当該振動板を支持する支持部と、を備え、前記駆動電流のうちの直流成分によって前記振動板にストレスを負荷した状態で、前記駆動電流のうちの交流成分に基づく前記ボイスコイルの振動が前記振動板に伝達されることによって音声が出力されることを特徴とする。
【０００７】
請求項３に記載の発明は、請求項２に記載の粒子伝導型のスピーカにおいて、前記振動板は、前記ボイスコイルに固定される部分に曲面部を備え、前記駆動電流のうちの直流成分を前記ボイスコイルに入力することによって前記振動板の前記曲面部の形状が平面に近づくことを特徴とする。
【０００８】
請求項４に記載の発明は、請求項３に記載の粒子伝導型のスピーカにおいて、前記振動
板は、複数の前記曲面部を有するとともに、各曲面部に対応して前記ボイスコイル及び前記磁気回路を備えることを特徴とする。
【発明の効果】
【０００９】
請求項１に記載の発明によれば、駆動電流のうちの直流成分によって振動板にストレスを負荷した状態で、駆動電流のうちの交流成分に基づくボイスコイルの振動を振動板に伝達することによって音声を出力することができる。すなわち、駆動電流のうちの直流成分（直流電流）を除去するためのコンデンサを必要としない。したがって、駆動電流を発生させる回路の構成を簡素化することができ、さらに、性能や音質を向上させることができる。
【００１０】
また、駆動電流のうちの直流成分をボイスコイルに入力することによって振動板の曲面部の形状を平面にすることができる。すなわち、使用状態において、外見をすっきりとさせることができる。
【００１１】
請求項２に記載の発明によれば、駆動電流のうちの直流成分によって振動板にストレスを負荷した状態で、駆動電流のうちの交流成分に基づくボイスコイルの振動を振動板に伝達することによって音声を出力することができる。すなわち、駆動電流のうちの直流成分（直流電流）を除去するためのコンデンサを必要としない。したがって、駆動電流を発生させる回路の構成を簡素化することができ、さらに、性能や音質を向上させることができる。
【００１２】
請求項３に記載の発明によれば、請求項２に記載の発明と同様の効果が得られることは無論のこと、駆動電流のうちの直流成分をボイスコイルに入力することによって振動板の曲面部の形状を平面に近づけることができる。すなわち、使用状態において、外見をすっきりとさせることができる。
【００１３】
請求項４に記載の発明によれば、請求項３に記載の発明と同様の効果が得られることは無論のこと、振動板は、複数の曲面部を有することができるとともに、各曲面部に対応してボイスコイル及び磁気回路を備えることができる。すなわち、多チャンネルの音声出力システムに対応させることができ、当該システムにおいて、高い音響効果を実現することができる。
【発明を実施するための最良の形態】
【００１４】
以下、図を参照して、本発明にかかる粒子伝導型のスピーカの最良の形態を詳細に説明する。なお、発明の範囲は、図示例に限定されない。
[第１の実施の形態]
まず、第１の実施の形態について説明する。
＜粒子伝導型のスピーカの構成＞
まず、粒子伝導型のスピーカ１（以下、スピーカ１）の構成を、図１を参照して説明する。
【００１５】
スピーカ１は、例えば、図１に示すように、磁気回路内に設けられ、入力される駆動電流に基づいて振動するボイスコイル２と、ボイスコイル２によって周囲を略取り囲まれた永久磁石３と、永久磁石３の周囲を取り囲んだヨーク４と、ボイスコイル２に固定される振動板５と、当該振動板５にストレスを負荷せず、振動板５を支持する支持部６と、ボイスコイル２、永久磁石３、ヨーク４を収納する筐体としてのフレーム７と、などを備えて構成される。
【００１６】
ボイスコイル２は、アンプ（図示省略）から入力される駆動電流のうちの直流成分に基づいて、軸方向の一方側へ移動する。また、ボイスコイル２は、アンプ（図示省略）から入力される駆動電流のうちの交流成分に基づいて、軸方向の往復運動を繰り返すことによって振動を生成する。
【００１７】
具体的には、ボイスコイル２は、例えば、円筒形状に成形したボビン２１の周囲に、導線２２を螺旋状に巻回させることによって形成される。
【００１８】
ボビン２１は、例えば、略長方形状の板状部材の長手方向の両端部を接合することによって円筒形状に成形される。したがって、ボビン２１の軸方向両端には、開口部２１ａ，２１ｂが設けられている。
【００１９】
ボビン２１を形成する材料としては、非磁性材料であれば制限はなく、例えば、ポリエチレン・テレフタレートフィルム、ポリイミドフィルム、ポリカーボネートフィルム、ナイロンフィルムなどの各種フィルムなどを用いることができる。
【００２０】
導線２２は、例えば、ボビン２１の一方の開口部２１ａ端から、ボビン２１の軸方向の長さに対して略３分の２程度に亘って、ボビン２１の軸方向と略直行する方向に規則正しく螺旋状に巻回される。なお、隣り合う導線２２同士の間隔や導線２２の巻回回数は自由に設定することができる。
【００２１】
導線２２としては、導電性を備える細線であれば制限はなく、例えば、エナメルなどの絶縁被膜付きの銅線（エナメル線など）などを用いることができる。
【００２２】
永久磁石３は、ボイスコイル２の導線２２の巻回方向と略直交する方向（軸方向）に起立しており、導線２２が巻回された側の開口部２１ａに挿入されることによって、ボイスコイル２に略取り囲まれた状態となる。永久磁石３は、円柱形状を成しており、その直径は、ボビン２１の内径よりも僅かに小さく、永久磁石３がボイスコイル２によって取り囲まれた際に、ボビン２１の内壁と永久磁石３の側面とが互いに接しない程度の長さになっている。永久磁石３は、Ｓ極とＮ極を有し、Ｓ極を構成する一方の端部３ｂは、ボイスコイル２によって取り囲まれ、Ｎ極を構成する他方の端部３ａは、開口部２１ａより外側に露出し、ヨーク４に固定されている。
【００２３】
永久磁石３としては、例えば、アルニコ磁石などの合金磁石や、フェライト磁石、サマリウム・コバルト磁石などの希土類磁石などを用いることができる。
【００２４】
ヨーク４は、永久磁石３が作り出す反磁場による影響を抑えて、永久磁石３の吸着力を増幅させる。
【００２５】
ヨーク４は、例えば、円盤形状の平板部４１と、平板部４１の円周に連続的に起立する側壁部４２とによって、一体的に（或いは、別体を接合したものでもよい）形成されたものである。平板部４１の側壁部４２が起立する側の平面の略中央には、平板部４１の平面と永久磁石３の端部３ａの端面とが当接するように、永久磁石３が固着されている。平板部４１の直径は、平板部４１の円周に連続的に設けられた側壁部４２の内壁と、平板部４１の略中央に固着された永久磁石３を取り囲むボイスコイル２とが、接しない程度の長さになっている。
【００２６】
ヨーク４を形成する材料としては、軟磁性材料であれば制限はなく、例えば、鉄や、鈍鉄、ケイ素鉄、アモルファスなどを用いることができる。
【００２７】
振動板５は、例えば、略長方形状の板状部材の中央部が長手方向に湾曲された状態に成形される。
【００２８】
振動板５の湾曲された中央部（曲面部５１）は、ボイスコイル２に固定される部分であり、具体的には、曲面部５１の内面５１ａと、ボイスコイル２の開口部２１ｂ側の端面とが固着されている。
【００２９】
振動板５の長手方向の二つの端部５２，５２は、支持部６，６によって支持されている。
【００３０】
振動板５を形成する材料としては、例えば、木材や紙材、金属、樹脂などの適宜好適な材料を用いることができる。
【００３１】
具体的には、木材としては、例えば、マホガニー、ローズウッド、エボニー、樫、楢、楓、チーク、松、桐、バルサ材などの各種木材を用いることができる。
【００３２】
紙材としては、例えば、ケント紙、画用紙、厚紙（ボール紙）、ダンボール紙などの各種紙材を用いることができる。
【００３３】
金属としては、例えば、アルミニウム、銅、ステンレスなどの各種金属を用いることができる。
【００３４】
樹脂としては、熱硬化性樹脂と熱可塑性樹脂の何れをも用いることができ、例えば、ポリエステル樹脂、ポリエチレン樹脂、エポキシ樹脂、アクリロニトリル・ブタジエン・スチレン樹脂（ＡＢＳ樹脂）などの各種樹脂を用いることができる。
【００３５】
なお、振動板５は、一種類の材料から形成されていてもよいし、複数種類の材料から形成されていてもよい。また、振動板５は、板状部材の中央部を湾曲させて成形したもの（成形部材）であれば、一枚の成形部材から成るものであってもよいし、複数枚の成形部材を貼り合せて成るものであってもよい。
【００３６】
支持部６は、フレーム７に固定されており、振動板５にストレスを負荷せずに、すなわち、曲面部５１が湾曲した状態で、振動板５の長手方向の端部５２を支持している。
【００３７】
フレーム７は、ボイスコイル２，永久磁石３，ヨーク４を収納する。フレーム７は、開口部７１を備えており、振動板６は、開口部７１側で、支持部６を介してフレーム７に取付けられる。
＜音声出力機構＞
次に、スピーカ１による音声出力機構を、図２を参照して説明する。
【００３８】
永久磁石３及びヨーク４によって、磁気回路（磁界）が形成される。
【００３９】
具体的には、ヨーク４の側壁部４２が取り囲む領域に、永久磁石３により生成され、ヨーク４により導かれた磁束によって、強い磁場が発生する。したがって、当該磁気回路内に設けられたボイスコイル２は、強い磁場の中に配置されていることとなる。
【００４０】
ボイスコイル２と永久磁石３とヨーク４とが、図１に示すように配置され、アンプ（図示省略）からボイスコイル２に駆動電流が入力されることによって、永久磁石３による磁界と、導線２２を流れる電流との間に電磁力が生じる。そして、駆動電流のうちの直流成分に基づく電磁力がボイスコイル２に作用することによって、例えば、図２に示すように、ボイスコイル２は、軸方向の一方側（例えば、下側）へと移動する。また、駆動電流のうちの交流成分に基づく電磁力がボイスコイル２に作用することによって、ボイスコイル２は、軸方向の往復運動を繰り返して、振動を生成する。
【００４１】
ボイスコイル２に固定された振動板５の曲面部５１の形状は、ボイスコイル２の軸方向下側への移動によって、例えば、図２に示すように、略平面になる。すなわち、ボイスコイル２に駆動電流のうちの直流成分を入力することによって、振動板５は、ストレスが負荷された状態となる。このストレスが負荷された状態の振動板５に、駆動電流のうちの交流成分に基づくボイスコイル２の振動が伝達されることによって音声が出力される。具体
的には、振動板５を構成する分子の粒子を、ストレスを負荷した状態で、ボイスコイル２で生成された振動により揺り動かすことによって音声が出力される。
【００４２】
なお、振動板５の曲面部５１の形状が略平面になった状態（図２）におけるボイスコイル２の位置は、当該ボイスコイル２の可動範囲の略中立位置になっている。
【００４３】
以上説明した本発明のスピーカ１によれば、永久磁石３及びヨーク４によって形成された磁気回路内に設けられ、入力される駆動電流に基づいて振動するボイスコイル２と、ボイスコイル２に固定される振動板５と、振動板５にストレスを負荷せず、当該振動板５を支持する支持部６と、を備え、駆動電流のうちの直流成分によって振動板５にストレスを負荷した状態で、駆動電流のうちの交流成分に基づくボイスコイル２の振動を振動板５に伝達することによって音声を出力することができる。すなわち、駆動電流のうちの直流成分（直流電流）を除去するためのコンデンサを必要としない。したがって、駆動電流を発生させる回路の構成を簡素化することができ、さらに、性能や音質を向上させることができる。
【００４４】
また、振動板５は、ボイスコイル２に固定される部分に曲面部５１を備え、駆動電流のうちの直流成分をボイスコイル２に入力することによって振動板５の曲面部５１の形状を略平面にすることができる。すなわち、使用状態において、外見をすっきりとさせることができる。
[第２の実施の形態]
次に、第２の実施の形態について説明する。
＜粒子伝導型のスピーカの構成＞
まず、粒子伝導型のスピーカ１００（以下、スピーカ１００）の構成を、図３を参照して説明する。
【００４５】
なお、第２の実施の形態のスピーカ１００の特徴は、第１の実施の形態のスピーカ１（図１）における、振動板５が異なる点、支持部６が異なる点である。したがって、異なる箇所のみについて説明し、その他の共通する部分は同一符号を付して説明する。
【００４６】
振動板１０５は、例えば、二つの曲面部１０５１Ａ，１０５１Ｂを有する。具体的には、曲面部１０５１Ａは、略長方形状の板状部材の中心部１０５３と、当該板状部材の短手方向の一方の端部１０５２との中央部が、当該板状部材の長手方向に湾曲された状態に成形される。また、曲面部１０５１Ｂは、略長方形状の板状部材の中心部１０５３と、当該板状部材の短手方向のもう一方の端部１０５２との中央部が、当該板状部材の長手方向に湾曲された状態に成形される。そして、例えば、曲面部１０５１Ａと曲面部１０５１Ｂとは、湾曲の方向が逆になっている。
【００４７】
振動板１０５の曲面部１０５１Ａ，１０５１Ｂは、ボイスコイル２に固定される部分であり、具体的には、曲面部１０５１Ａ，１０５１Ｂに対応して、ボイスコイル２（ボイスコイル２Ａ，２Ｂ）並びに磁気回路を形成する永久磁石３（永久磁石３Ａ，３Ｂ）及びヨーク４（ヨーク４Ａ，４Ｂ）が備えられている。より具体的には、曲面部１０５１Ａの内面１０５１Ａａと、ボイスコイル２Ａの開口部２１ｂ側の端面とが固着されている。また、曲面部１０５１Ｂの外面１０５１Ｂｂと、ボイスコイル２Ｂの開口部２１ｂ側の端面とが固着されている。
【００４８】
振動板１０５の短手方向の二つの端部１０５２，１０５２は、支持部１０６１，１０６１によって支持され、振動板１０５の中心部１０５３は、支持部１０６２によって支持されている。
【００４９】
支持部１０６は、振動板１０５にストレスを負荷せずに、すなわち、曲面部１０５１Ａ，１０５１Ｂが湾曲した状態で、振動板１０５を支持している。具体的には、支持部１０
６１によって、振動板１０５の短手方向の端部１０５２を支持し、支持部１０６２によって、振動板１０５の中心部１０５３を支持している。
＜音声出力機構＞
次に、スピーカ１００による音声出力機構を、図４を参照して説明する。
【００５０】
永久磁石３及びヨーク４によって、磁気回路（磁界）が形成される。
【００５１】
具体的には、ヨーク４の側壁部４２が取り囲む領域に、永久磁石３により生成され、ヨーク４により導かれた磁束によって、強い磁場が発生する。したがって、当該磁気回路内に設けられたボイスコイル２は、強い磁場の中に配置されていることとなる。
【００５２】
ボイスコイル２と永久磁石３とヨーク４とが、図３に示すように配置され、アンプ（図示省略）からボイスコイル２に駆動電流が入力されることによって、永久磁石３による磁界と、導線２２を流れる電流との間に電磁力が生じる。そして、駆動電流のうちの直流成分に基づく電磁力がボイスコイル２に作用することによって、ボイスコイル２は、軸方向の一方側へと移動する。具体的には、例えば、図４に示すように、ボイスコイル２Ａは、軸方向下側へと移動し、ボイスコイル２Ｂは、軸方向上側へと移動する。また、駆動電流のうちの交流成分に基づく電磁力がボイスコイル２に作用することによって、ボイスコイル２は、軸方向の往復運動を繰り返して、振動を生成する。
【００５３】
ボイスコイル２Ａに固定された振動板１０５の曲面部１０５１Ａの形状は、ボイスコイル２Ａの軸方向下側への移動によって、ボイスコイル２Ｂに固定された振動板１０５の曲面部１０５１Ｂは、ボイスコイル２Ｂの軸方向上側への移動によって、例えば、図４に示すように、略平面になる。すなわち、ボイスコイル２に駆動電流のうちの直流成分を入力することによって、振動板１０５は、ストレスが負荷された状態となる。このストレスが負荷された状態の振動板１０５に、駆動電流のうちの交流成分に基づくボイスコイル２の振動が伝達されることによって音声が出力される。具体的には、振動板１０５を構成する分子の粒子を、ストレスを負荷した状態で、ボイスコイル２で生成された振動により揺り動かすことによって音声が出力される。
【００５４】
なお、振動板１０５の曲面部１０５１Ａ，１０５１Ｂの形状が略平面になった状態（図４）におけるボイスコイル２Ａ，２Ｂの位置は、当該ボイスコイル２Ａ，２Ｂの可動範囲の略中立位置になっている。
【００５５】
以上説明した本発明のスピーカ１００によれば、永久磁石３及びヨーク４によって形成された磁気回路内に設けられ、入力される駆動電流に基づいて振動するボイスコイル２と、ボイスコイル２に固定される振動板１０５と、振動板１０５にストレスを負荷せず、当該振動板１０５を支持する支持部１０６と、を備え、駆動電流のうちの直流成分によって振動板１０５にストレスを負荷した状態で、駆動電流のうちの交流成分に基づくボイスコイル２の振動を振動板１０５に伝達することによって音声を出力することができる。すなわち、駆動電流のうちの直流成分（直流電流）を除去するためのコンデンサを必要としない。したがって、駆動電流を発生させる回路の構成を簡素化することができ、さらに、性能や音質を向上させることができる。
【００５６】
また、振動板１０５は、ボイスコイル２に固定される部分に曲面部１０５１Ａ，１０５１Ｂを備え、駆動電流のうちの直流成分をボイスコイル２に入力することによって振動板１０５の曲面部１０５１Ａ，１０５１Ｂの形状を略平面にすることができる。すなわち、使用状態において、外見をすっきりとさせることができる。
【００５７】
また、振動板１０５は、複数（二つ）の曲面部１０５１Ａ，１０５１Ｂを有することができるとともに、各曲面部１０５１Ａ，１０５１Ｂに対応してボイスコイル２Ａ，２Ｂ並
びに磁気回路を形成する永久磁石３Ａ，３Ｂ及びヨーク４Ａ，４Ｂを備えることができる。すなわち、多チャンネルの音声出力システムに対応させることができ、当該システムにおいて、高い音響効果を実現することができる。
【００５８】
以上説明した本発明のスピーカ１，１００から出力される音声は、指向性が高く、周囲に雑音があっても聞き取りやすいという特徴がある。したがって、スピーカ１，１００を周囲に雑音がある状況で使用すると、すなわち、例えば、乗り物用、通信用、家電用、携帯音楽用、街頭音声アナウンス用、業務機器用、娯楽施設用、店舗用、遊技機器用として使用すると、当該スピーカ１，１００の特徴を十分に発揮することができる。
【００５９】
具体的には、乗り物用としては、例えば、車内（ドアやダッシュボード、トランク、シート下など）取り付け用、車外取り付け用、カーコンポ用、ナビゲーション用、交通機関（電車や飛行機、船舶など）内のアナウンス用、駅のホームや待合室でのアナウンス用などが挙げられる。
【００６０】
通信用としては、例えば、室内電話機用、携帯電話機用、トランシーバ用、各種無線機器用などが挙げられる。
【００６１】
家電用としては、例えば、モニター用、インターホン用、洗濯機用、乾燥機用、冷蔵庫用、ＩＨクッキングヒータ用、オーブンレンジ用、掃除機用、給湯器用、トイレ洗浄機用、空気清浄機用、ファンヒータ用、扇風機用、エアコン用、加湿器用、リモコン用などが挙げられる。
【００６２】
携帯音楽用としては、例えば、ラジカセ用、ヘッドフォンオーディオ（テープ型やＣＤ型、フラッシュメモリ型、ＨＤＤ型のヘッドフォンオーディオなど）用、ポータブルＡＶ機器用、ノートパソコン用などが挙げられる。
【００６３】
街頭音声アナウンス用としては、例えば、金融機関キャッシュディスペンサー用、入場制限システム（マンションやビルのセキュリティーシステムなど）用、交通機関の券売機（乗車券や搭乗券、乗船券などの販売機）用、自動販売機用、駐車場アナウンス用、信号機用、拡声器用などが挙げられる。
【００６４】
業務機器用としては、例えば、医療機器用、補聴器用、コピー機用、測定器用、電動工具用、工場設備機器用、フォークリフト用などが挙げられる。
【００６５】
娯楽施設用としては、例えば、映画館用、美術館用、動物園用、水族館用、劇場用、競技場（スポーツ施設や競馬場など）用、パチンコ館用、遊技場（ボーリング場など）用、展示場用などが挙げられる。
【００６６】
店舗用としては、例えば、デパート用、スーパーマーケット用、コンビニエンスストア用、量販店用、飲食店用、食堂用、市場用、販売店用、宿泊施設用などが挙げられる。
【００６７】
遊技機器用として、例えば、パチンコやスロットの台用、ロボット用、玩具用、ゲーム機用などが挙げられる。
【００６８】
なお、本発明は、上記した実施の形態のものに限るものではなく、その要旨を逸脱しない範囲で適宜変更可能である。
【００６９】
例えば、振動板（振動板５，振動板１０５）の曲面部（曲面部５１，曲面部１０５１Ａ，１０５１Ｂ）におけるボイスコイル（ボイスコイル２、ボイスコイル２Ａ，２Ｂ）を固定する位置は、駆動電流のうちの直流成分によって、曲面部の形状が略平面になるのであれば、任意である。すなわち、具体的には、例えば、第１の実施の形態においては、曲面部５１の内面５１ａにボイスコイル２を固定するようにしたが、駆動電流のうちの直流成分によって、曲面部５１の形状が略平面になるのであれば、曲面部５１の外面５１ｂにボイスコイル２を固定するようにしてもよい。
【００７０】
振動板（振動板５，振動板１０５）にストレスを負荷すると、曲面部（曲面部５１，曲面部１０５１Ａ，１０５１Ｂ）の形状が略平面になるとしたが、曲面部の形状が平面に近づくのであれば、この限りではない。また、振動板（振動板５，振動板１０５）にストレスを負荷すると、曲面部（曲面部５１，曲面部１０５１Ａ，１０５１Ｂ）の形状が略平面
になるとしたが、逆に、振動板（振動板５，振動板１０５）にストレスを負荷しない状態では、振動板（振動板５，振動板１０５）を略平面にして、ストレスを負荷すると、振動板（振動板５，振動板１０５）が湾曲するようにしてもよい。この場合、スピーカ（スピーカ１、スピーカ１００）の不使用状態において、外見をすっきりとさせることができる。
【００７１】
支持部（支持部６，支持部１０６）は、振動板（振動板５，振動板１０５）にストレスを負荷せずに、すなわち、曲面部（曲面部５１，曲面部１０５１Ａ，１０５１Ｂ）が湾曲した状態で、振動板を支持するとしたが、振動板にストレスを負荷した状態で振動板を支持してもよい。これにより、駆動電流のうちの直流成分（直流電流）によって、さらにストレスを負荷することで、さらに音声出力量を上げることができる。この場合、支持部によって曲面部の形状が略平面となった状態で振動板を支持することにより、スピーカ（スピーカ１、スピーカ１００）の不使用状態において、外見をすっきりとさせることができる。
【００７２】
第２の実施の形態において、振動板１０５は、二つの曲面部１０５１Ａ，１０５１Ｂを有するようにしたが、曲面部の個数は任意である。例えば、振動板１０５に六つの曲面部を設けると、６チャンネルの音声出力システムである、５．１チャンネル方式の音声出力システムに好適に対応させることができ、当該システムにおいて、より一層、高い音響効果を実現することができることとなる。
【図面の簡単な説明】
【００７３】
【図１】第１の実施の形態の粒子伝導型のスピーカの概略断面図である。
【図２】第１の実施の形態の粒子伝導型のスピーカにおいて、振動板にストレスを負荷した状態を示す概略断面図である。
【図３】第２の実施の形態の粒子伝導型のスピーカの概略断面図である。
【図４】第２の実施の形態の粒子伝導型のスピーカにおいて、振動板にストレスを負荷した状態を示す概略断面図である。
【符号の説明】
【００７４】
１，１００  粒子伝導型のスピーカ（スピーカ）
２  ボイスコイル
３  永久磁石
４  ヨーク
５，１０５  振動板
６，１０６  支持部
５１，１０５１Ａ，１０５１Ｂ  曲面部
【図１】
2006333027.tif 000003
【図２】
2006333027.tif 000004
【図３】
2006333027.tif 000005
【図４】
2006333027.tif 000006